(57)【要約】【課題】  箱体の高さが低い場合であっても、蓋体を完全に閉じることができると共に、蓋体を所定の開き角度にロックすることのできる蓋体の開閉機構を備えた箱体を提供する。【解決手段】  蓋体３の側部に一端が回動自在に設けられたアーム６には、第１湾曲部６ａ、第２湾曲部６ｂ、ロック部６ｃが設けられている。第１湾曲部６ａは、垂線Ａへの近接方向に凸状で湾曲し、第２湾曲部６ｂは、垂線Ａへの離間方向に凸状で湾曲するように形成されている。蓋体３の開状態では、ロック部６ｃが係止部１１に係止すると共に、アーム６の下側エッジ６ｄがガイド長孔１０の縁部ａ点に当接して開状態にロックされる。蓋体３を反時計方向に回動させるとロックが解除され、アーム６の湾曲形状に沿って下側エッジ６ｄがａ点に当接しながら斜め左下方向に下降し閉状態となる。【選択図】        図１
2007204093.tif 000002
【特許請求の範囲】
【請求項１】
箱本体の開口の側縁にヒンジを介して回動自在に取り付けられ前記開口を開閉する蓋体と、
一端が前記蓋体に回動可能に連結され、他端が前記箱本体の前記側縁と直交する側壁に設けられた係止部に当接して、前記蓋体の開き角度を規制するロック部が形成された１つの部材からなるアームとを有し、
前記アームの回動中心点近傍に設けられた第１湾曲部と、該第１湾曲部に連続して設けられて異なる方向に湾曲する第２湾曲部とを有すること
を特徴とする箱体。
【請求項２】
前記蓋体の閉状態において、前記第１湾曲部は、前記前記回動中心点を通る垂線の離間方向に湾曲し、前記第２湾曲部は、前記垂線の近接方向に湾曲する構成としたことを特徴とする請求項１に記載の箱体。
【請求項３】
前記蓋体の閉状態において、前記第１湾曲部は、前記回動中心点を通る垂線に対して近接方向に凸状で湾曲し、前記第２湾曲部は、前記垂線の離間方向に凸状で湾曲する構成としたことを特徴とする請求項１に記載の箱体。
【請求項４】
前記アームは、前記蓋体が前記箱本体に対して８０度乃至１００度のいずれかの開き角度まで達したときに、前記係止部に前記ロック部が当接することを特徴とする請求項１乃至請求項３のうち、いずれか１に記載の箱体。
【請求項５】
前記アームは、前記箱本体の前記側壁に１対設けられることを特徴とする請求項１乃至請求項４のうち、いずれか１に記載の箱体。
【請求項６】
前記箱体の前記側縁と直交する側壁の端面には、前記側縁と直交する方向に延びるガイド長孔が設けられ、前記アームは、前記ガイド長孔に挿通されて、前記蓋体の開閉動作に伴って前記ガイド長孔内を摺動することを特徴とする請求項１乃至請求項５のうち、いずれか１に記載の箱体。
【請求項７】
前記蓋体の開閉動作において、前記アームは、前記ガイド長孔の前記ヒンジ側の縁部に当接して摺動することを特徴とする請求項６に記載の箱体。
【発明の詳細な説明】
【技術分野】
【０００１】
本発明は、箱体に関するものである。
【背景技術】
【０００２】
図５は、従来の箱体の蓋体の開閉機構の一例を概略的に示す箱体側面の断面図である（例えば、特許文献１参照）。
【０００３】
図５（ａ）に示すように、従来の箱体は、箱本体２１の開口２２の側縁に、蓋体２３がヒンジ２４を介して回動自在に設けられ、開口２２を開閉可能になっている。蓋体２３の側部には湾曲したアーム２５が一端を回動自在に取り付けられ、アーム２５は箱本体２１の側壁の端面に設けられたガイド長孔２６に挿通され、蓋体２３の開閉動作に伴ってガイド長孔２６内を摺動可能になっている。アーム２５の先端は屈曲しており、この屈曲部がロック部となって図示のようにガイド長孔２６の縁部に係止することにより、蓋体２３を開状態にロックする。
【０００４】
【特許文献１】実開平６−８７０８７号公報
【発明の開示】
【発明が解決しようとする課題】
【０００５】
しかしながら、高さが低い箱体では、図５（ａ）に示すアーム２５を用いると、蓋体２３を閉状態に移行させた場合、図５（ｂ）に示すように、アーム２５の先端部が箱本体２１の底部から飛び出す設計となってしまい、実際上はアーム２５の先端部が底部につかえて蓋体２３を完全に閉状態とすることができず、蓋体２３は半開きの状態になってしまう。従って、従来のアーム２５を用いる場合は、箱体に一定以上の高さが必要であり、箱体の高さが低い場合は、図５に示すアーム２５を用いることができなかった。特に、箱本体２１の底面と各側壁、及び蓋体２１の上面と各側部との間が、図５（ａ）のようにアール処理が施された曲面で形成されている場合には、アーム２５の上下方向のストローク可能な長さが前記曲面形状によって短くなり、また、蓋体２３に対するアーム２５の取付け位置が、前記アール処理がなされていない部位でなければならないので、上記の問題が起こりやすい。
【０００６】
図６（ａ）は、従来の箱体の蓋体の開閉機構の他の例を概略的に示す箱体側面の断面図である。この例で用いられているアーム２５は、図５（ａ）のアーム２５とは逆方向に湾曲されている。図６（ａ）に示す形状によるアーム２５を用いれば、蓋体２３の閉状態において、アーム２５は、その先端部が底部につかえることがなく、図５に示すようなアームの問題点は解消する。しかしながら、図６（ａ）に示す閉状態から開状態に蓋体２３を移行させる途中で、図６（ｂ）に示すようにアーム２５がガイド長孔２６につかえてしまい、十分な開き角度まで蓋体２３を開くことができないという問題がある。尚、ガイド長孔２６を長くすると、美感が失われ、またガイド長孔２６からの異物混入による動作の不具合を生ずる可能性がある他、上記のロック状態を得ることができなくなるので、ガイド長孔２６の長さはできるだけ短くする必要がある。
【０００７】
一方、図７に示すように、アーム２５を互いに回動自在な二つのアーム部材２５ａ，２５ｂで構成してアーム２５に関節をもたせれば、箱本体２１が浅くてもアーム２５が折れ曲がるので、蓋体２３を完全に閉じることができる。しかしながら、この構成では、部品点数が多くなり、組み立ての手間がかかる等の問題があった。
【０００８】
本発明は、上記の問題を解決するためになされたものであって、高さが低い箱本体であっても、蓋体を完全に閉じることができると共に、蓋体を所定の開き角度にロックすることのできる蓋体の開閉機構を有する箱体を提供することを課題とする。
【課題を解決するための手段】
【０００９】
本発明による箱体は、箱本体の開口の側縁にヒンジを介して回動自在に取り付けられ、前記開口を開閉する蓋体と、一端が前記蓋体に回動自在に連結され、他端が前記箱本体の前記側縁と直交する側壁に設けられた係止部に当接して、前記蓋体の開き角度を規制するロック部が形成された１つの部材からなるアームとを有し、前記アームの回動中心点近傍に設けられた第１湾曲部と、前記第１湾曲部に連続して設けられた第２湾曲部とを有することを特徴とする。
【００１０】
また、本発明による箱体は、前記蓋体の閉状態において、前記第１湾曲部は、前記回動中心点を通る垂線の離間方向に湾曲し、前記第２湾曲部は、前記垂線の近接方向に湾曲する構成としたことを特徴とする。
【００１１】
また、本発明による箱体は、前記蓋体の閉状態において、前記第１湾曲部は、前記回動中心点を通る垂線に対して近接方向に凸状で湾曲し、前記第２湾曲部は、前記垂線の離間方向に湾曲する構成としたことを特徴とする。
【００１２】
また、本発明による箱体は、前記アームは、前記蓋体が前記箱本体に対して８０度乃至１００度の何れかの開き角度まで達したときに、前記係止部に前記ロック部が当接することを特徴とする。
【００１３】
また、本発明による箱体は、前記アームは、前記箱本体の前記側壁に一対設けられることを特徴とする。
【００１４】
また、本発明による箱体は、前記箱本体の前記側縁と直交する側壁の端面には、前記側縁と直交する方向に延びるガイド長孔が設けられ、前記アームは、前記ガイド長孔に挿通されて、前記蓋体の開閉動作に伴って前記ガイド長孔内を摺動することを特徴とする。
【００１５】
また、本発による箱体は、前記蓋体の開閉動作において、前記アームは、前記ガイド長孔の前記ヒンジ側の縁部に当接して摺動することを特徴とする。
【発明の効果】
【００１６】
本発明によれば、第１湾曲部と第２湾曲部を連続して設けたアームを用いることにより、箱本体の高さが低い場合であっても、蓋体をスムースに回動させて蓋体を完全に閉じることができると共に、蓋体を所定の開き角度で確実に開状態にロックすることができる。また、アームは単一の部材からなるので、部品点数が増えることもなく、製造が簡単で低コストを実現することができる。
【００１７】
また、アームを、蓋体の閉状態において、第１湾曲部は、前記回動中心点を通る垂線の離間方向又は垂線に近接方向に湾曲し、前記第２湾曲部は、前記垂線の近接方向又は垂線の離間方向に湾曲する形状に構成したことにより、アームの上下動ストロークを短くしながら蓋体の回動角度を大きくすることができる。これによって浅い箱本体でも蓋体を完全に閉じることができる。
【００１８】
また、蓋体が８０度乃至１００度の何れかの開き角度まで達したとき、アームがロックするように構成したので、蓋体を実用上便宜な角度に開くことができる。
【００１９】
また、アームを一対設けたことにより、蓋体の開閉動作を安定に行うことができる。
【００２０】
また、アームが挿通するガイド長孔を設け、蓋体の開閉に伴ってアームがガイド長孔内を摺動するように構成したので、さらに蓋体の開閉動作を安定にすることができる。
【００２１】
また、アームがガイド長孔内を摺動する際は、ガイド長孔のヒンジ側の縁部に当接して摺動するので、蓋体は開閉時にヒンジ側の縁部で支持されながら移動し、さらに安定なかつスムースな動作を得ることができる。
【発明を実施するための最良の形態】
【００２２】
図１、図２及び図３は、本発明の実施の形態による箱体の側面を示す一部断面図であり、図１は、蓋体の開状態を示す図、図２は、開状態から閉状態に移行する途中の状態を示す図、図３は、閉状態を示す図、図４は、蓋体の開状態における箱体の斜視図及び部分拡大図である。尚、本実施の形態は、本発明をセーフティボックスに適用した場合を説明するが、本発明による箱体の用途は特に限定されるものではない。
【００２３】
図１乃至図４に示すように、箱体１は、箱本体２と蓋体３とからなる。箱本体２は、外箱２ａと内箱２ｂの二重構造を有しており、同様に蓋体３も外蓋３ａと内蓋３ｂの二重構造を有している。箱本体２は、上部に開口４を有する。蓋体３は、箱本体２の側縁部にヒンジ５を介して回動自在に設けられて開口４を開閉可能になっており、ヒンジ５は、蓋体３を開く方向へ付勢されている。尚、外箱２ａ及び外蓋３ａはアルミ等の金属製とし、内箱２ｂ及び内蓋３ｂは樹脂製とするのが好適である。
【００２４】
蓋体３の側部にはアーム６が設けられており、アーム６の一端が軸支部７に回動自在に軸支されている。図１乃至図３に示すように、アーム６は、第１湾曲部６ａと、これに連続する第２湾曲部６ｂが形成され、さらに先端部が湾曲されてロック部６ｃが形成されている。図３に示すように、アーム６の回動中心点（軸支部７）を通る垂線Ａを基準とした場合に、蓋体３の閉状態において、第１湾曲部６ａは、その延長線上が垂線Ａから離間方向（図３の紙面の左方向）に向かって湾曲され、次に第２湾曲部６ｂは、その延長線上が垂線Ａの近接方向（図３の紙面の右方向）に向かって湾曲するように形成されている。すなわち、第１湾曲部６ａは、垂線Ａへの近接方向に凸状で湾曲し、第２湾曲部６ｂは、垂線Ａへの離間方向に凸状で湾曲するように形成されている。尚、前記とは逆に第１湾曲部６ａを垂線Ａの近接方向に湾曲し、第２湾曲部６ｂを垂線Ａの離間方向に湾曲するようにしてもよい。尚、６ｄはアーム６の下側エッジ、６ｅはアーム６の上側エッジを示す。
【００２５】
図１及び図４に示すように、内箱２ｂのヒンジ５側の側壁８と直交する側壁９の上端面９ａには、前記直交する方向に延びる長さＬのガイド長孔１０が設けられている。ガイド長孔１０には、アーム６が挿通されており、ガイド長孔１０のヒンジ５側と反対側の縁部は係止部１１となっている。尚、側壁９の内部（上端面９ａの下）は、外箱２ａと内箱２ｂとによって空洞になっており、この空洞にアーム６が挿入されている。その他、箱本体２には、セーフティボックスに必要な鍵装置（符号を付さず）や把手（図に示さず）等が適宜設けられている。
【００２６】
次に、前記構成による箱体１の蓋体３の開閉動作について説明する。
【００２７】
図１に示すように、蓋体３の開状態においては、アーム６の先端のロック部６ｃが係止部１１に当接すると共に、アーム６の先端付近の下側縁部６ｄがガイド長孔１０のヒンジ５側の縁部のａ点に当接している。この場合の蓋体３の開き角度は、箱本体２に対して８０度乃至１００度に設定するのが、セーフティーボックスとしての箱体１を使用する際の作業のしやすさ等の点で好適である。
【００２８】
ロック部６ｃが係止部１１に当接することにより、蓋体３が前記開き角度以上に開くことが規制され、安定な開状態が保持される。この開状態から蓋体３を閉じるために、蓋体３を図１の反時計方向に回動させると、アーム６のロック部６ｃが係止部１１を離れてロックが解除され、アーム６は自らの重量で下側エッジ６ｄが前記ａ点に当接しながら図１の斜め左下方向に下降していく。
【００２９】
蓋体３がさらに回動してアーム６が下降すると、図２に示すように蓋体３が半閉状態になるが、この状態においても、アーム６の下側縁部６ｄはａ点を当接しながら摺動する。蓋体３が図２に示す位置からさらに反時計方向に回動すると図３に示す閉状態となり、このときアームの下側エッジ６ｄの軸支部７付近がａ点に当接している。この閉状態において、アーム６の先端部と内箱２ｂの底面との間には僅かな隙間ｄが形成されるのが好適である。隙間ｄがあることにより、特に外箱２ａがアルミ等の金属性、内箱２ｂが樹脂製であるときは、アーム６が箱本体２の底面を擦って磨耗したり不快音を生じさせたりすることがなく、蓋体３をスムースに開閉することができるからである。
【００３０】
また、閉状態から蓋体３を開くために、蓋体３を図３の位置から時計方向に回動させると、アーム６は右上方向に上昇し、図２の半開状態を経て図１の開状態となる。アーム６の上昇中も、図２に示すアーム６の下側エッジ６ｄが係止部１１のａ点に当接しながら摺動する。尚、閉状態から蓋体３を開く場合に、アーム６の上側エッジ６ｅが係止部１１のｂ点に当接するように、アーム６の蓋体２に対する取付け強度を調節してもよい。
【００３１】
図１の開状態においては、アーム６のロック部６ｃが係止部１１に当接すると共に、アーム６の下側エッジ６ｄの先端近傍がガイド長孔１０の縁部のａ点に当接することにより、蓋体３が所定の開き角度にロックされて安定な開状態が得られている。この場合、ガイド長孔９の長さＬが大きいと、美感が失われ、またガイド長孔９からの異物混入による動作の不具合を生ずる可能性がある他、上記のロック状態を得ることができなくなるので、ガイド長孔９の長さＬはできるだけ短くする必要がある。一方、蓋体３の回動動作中は、常にアーム６は、下側縁部６ｄ又は上側縁部６ｅがａ点又はｂ点に接しながら第１湾曲部６ａと第２湾曲部６ｂの形状に沿って摺動する。アーム６がこの湾曲形状に沿って摺動することによって、アーム６の上下方向のストローク（図１及び図３の矢印Ｓ）を短くすることができ、かつ上下方向のストロークが短いにもかかわらず蓋体３の開状態から閉状態までの回動角度を大きくすることができる。これによって、箱体１の高さが低くても蓋体３を十分に大きい角度を回動させて完全に閉じることができる。また、ガイド長孔１０の長さＬを短くして蓋体３を確実に開状態にロックすることができる。
【００３２】
本実施の形態によれば、アーム６に第１湾曲部６ａと第２湾曲部６ｂとを設けたことにより、図７の従来のようにアームを二つの部材で構成することなく、単一部材で二つの部材による動作と実質的に同じ動作を得ることができる。従って、箱体１の高さが低くても、アーム６が箱体の底部につかえることがなく、蓋体３を完全に閉じることができると共に、蓋体３を所定の開き角度に確実にロックすることができ、製造容易でコストの低減を図ることができる。
【００３３】
尚、本実施の形態では、アーム６を蓋体３の片側に設けたが、一対のアーム６を蓋体３の両側に設けることにより、さらに安定した動作を得ることができる。
【図面の簡単な説明】
【００３４】
【図１】本発明の実施の形態による箱体の開状態を示す箱体側面の一部断面図である。
【図２】本発明の実施の形態による箱体の開状態から閉状態に移行する途中の状態を示す箱体側面の一部断面図である。
【図３】本発明の実施の形態による箱体の閉状態を示す箱体側面の一部断面図である。
【図４】本発明の実施の形態による箱体の斜視図及び部分拡大図である。
【図５】従来の箱体の開状態と閉状態の一例を示す箱体側面の断面図である。
【図６】従来の箱体の閉状態と開状態の他の例を示す箱体側面の断面図である。
【図７】従来の箱体の閉状態の他の例を示す箱体側面の断面図である。
【符号の説明】
【００３５】
１    箱体
２    箱本体
２ａ  外箱
２ｂ  内箱
３    蓋体
３ａ  外蓋
３ｂ  内蓋
４    開口
５    ヒンジ
６    アーム
６ａ  第１湾曲部
６ｂ  第２湾曲部
６ｃ  ロック部
６ｄ  下側エッジ
６ｅ  上側エッジ
７    軸支部
８，９  側壁
９ａ  上端面
１０    ガイド長孔
１１    係止部
Ａ    垂線
【図１】
2007204093.tif 000003
【図２】
2007204093.tif 000004
【図３】
2007204093.tif 000005
【図４】
2007204093.tif 000006
【図５】
2007204093.tif 000007
【図６】
2007204093.tif 000008
【図７】
2007204093.tif 000009